(57)【要約】【課題】本発明は信頼性の高いインクジェット記録ヘッドを提供することを目的とする。【解決手段】液体を吐出するための複数のノズルと吐出エネルギーを発生する記録素子を複数配列した記録素子基板が記録素子基板支持板上に配置され、記録素子基板からの電気的信号や駆動電源の接続がフレキシブル配線基板を介して為されているインクジェット記録ヘッドにおいて、フレキシブル配線基板の折り曲げ部に相当する記録素子基板支持板に接着剤注入用の隙間を設け、接着性を向上させた事を特徴とするインクジェット記録ヘッド。【選択図】      図５
2006281736.tif 000002
【特許請求の範囲】
【請求項１】
液体を吐出するための複数のノズルと吐出エネルギーを発生する記録素子を複数配列した記録素子基板が記録素子基板支持板上に配置され、印字領域がＡ４短辺（約２００ｍｍ）以上の印字領域を持ち、
記録素子基板からの電気的信号や駆動電源の接続がフレキシブル配線基板からなる電気配線基板を介して為され、電気配線基板と記録素子基板支持板が第一の接着剤で接着されているインクジェット記録ヘッドにおいて、
電気配線基板の折り曲げ部に相当する記録素子基板支持板に接着剤注入用の隙間を設け、前記第一の接着剤とは成分の異なる第二の接着剤を注入する事を特徴とするインクジェット記録ヘッド。
【請求項２】
前記フレキシブル配線基板と前記記録素子基板支持板との間に第二のプレートを挟んで接合されるインクジェット記録ヘッドにおいて、
前記第二のプレートにおける電気配線基板の折り曲げ部に相当する部位に接着剤注入用の隙間を設け、前記第二の接着剤を注入する事を特徴とする請求項１に記載のインクジェット記録ヘッド。
【請求項３】
液体を吐出するための複数のノズルと吐出エネルギーを発生する記録素子を複数配列した記録素子基板が記録素子基板支持板上に、ノズル配列方向、あるいはノズル配列と垂直な方向に複数個配置されている事を特徴とする請求項１または請求項２に記載のインクジェット記録ヘッド。
【請求項４】
液体を吐出するための複数のノズルと吐出エネルギーを発生する記録素子を複数配列した１個の記録素子基板が記録素子基板支持板上に配置されている事を特徴とする請求項１または請求項２に記載のインクジェット記録ヘッド。
【発明の詳細な説明】
【技術分野】
【０００１】
本発明は、インク等の液体を吐出して記録動作を行うインクジェット記録装置、および記録装置に用いられるインクジェット記録ヘッドに関する。本発明は、一般的なプリント装置のほか、複写機、通信システムを有するファクシミリ、プリント部を有するワードプロセッサ等の装置、あるいは、これらの装置を複合した多機能記録装置等に適用することができる。特に、高速かつ高画質な印字を行う記録装置に好適に適用される。
【背景技術】
【０００２】
従来、インクジェット記録装置は、ランニングコストが安く、装置の小型化も可能であり、さらに、複数色のインクを用いてカラー画像記録に対応することも容易であることから、コンピュータ関係の出力機器等に幅広く利用され、商品化されている。
【０００３】
一方、記録ヘッドの吐出口からインクを吐出するためのエネルギーを発生するエネルギー発生素子としては、ピエゾ素子などの電気機械変換体を用いたもの、レーザーなどの電磁波を照射して発熱させ、この発熱による作用でインク滴を吐出させるもの、あるいは、発熱抵抗体を有する電気熱変換素子によって液体を加熱させるもの等がある。
【０００４】
その中でも熱エネルギーを利用してインク滴を吐出させる方式のインクジェット記録方式のヘッドは、吐出口を高密度に配列することができるため、高解像度の記録が可能である。電気熱変換素子をエネルギー発生素子として用いた記録ヘッドは、小型化も用意であり、かつ最近の半導体分野における技術の進歩と信頼性の向上が著しいＩＣ技術やマイクロ加工技術の長所を十二分に活用でき、高密度実装化が容易で製造コストも安価なことから有利である。
【０００５】
また、最近では、より高詳細の印字を行うために、インクを吐出するためのノズルを、フォトリソ技術を用いて高精度に作成する方法等も利用されてきている。
【０００６】
近年では、より高速に高詳細の画像の記録を実現するため、より印字幅が長尺化しており、将来的により長い記録ヘッドの実現も望まれている。具体的には、ヘッドの長さが４インチ〜１３インチなどの長さのものも要求されてきている。
【０００７】
このようにヘッドが長尺化・高速化していくとヘッド当たりの記録素子数が増加し、駆動用電源の電圧降下が懸念される。
【０００８】
従来ヘッドは時分割駆動や、電気配線基板上の配線幅の拡大などの方法で電圧降下を抑制する手法が取られている。
【特許文献１】特開２００１−１３０００１号公報
【発明の開示】
【発明が解決しようとする課題】
【０００９】
従来の方式において、例えばＡ４幅の印字領域を有するページワイドヘッドなどにおいて、配線幅の拡大に伴い配線が形成されているフレキシブルプリント基板のサイズが大きくなり装置サイズの増大やヘッドのコストアップにつながる。また時分割駆動を行うにしても高速印刷を成す為には時分割数に限界があり、同時に駆動される記録素子数を減らすには限界がある。
【００１０】
よって、これらの手法に加えて配線材料となっている銅箔などの金属フィルムを厚膜化したフレキシブルプリント基板を使用してフレキシブルプリント基板のサイズを抑えて配線抵抗の低減を図っている。
【００１１】
しかしながら、フレキシブルプリント基板の折り曲げ領域がＡ４幅に渡る事と、厚い金属箔を用いるが故フレキシブルプリント基板の強度の増大によって、フレキシブルプリント基板の折り曲げや折り返しなどの加工を施した部分に応力が蓄積され易く、製造工程中や印刷使用中に剥がれや浮きが生じる等の問題が生じていた。
【００１２】
また、剥がれが生じないように強固な接着剤を用いて補強を行うと接着剤のはみ出しがあり、強固に凝固するだけに、所望の形状に曲げることができなくなるといった問題が生じていた。またこれを避けるために接着剤の塗布量を少なめに制御すると接着力低下による長期信頼性や歩留まりが著しく低下する。
【００１３】
そこで本発明は、上記従来技術の有する問題点に鑑み、印字信頼性が高いヘッドを提供することを目的とする。
【課題を解決するための手段】
【００１４】
上記目的を達成するため本発明のインクジェット記録ヘッドは、フレキシブルプリント基板からなる電気配線基板の折り曲げ部において剥がれが生じないように、接着性を向上させるための接着剤注入領域を記録素子基板支持板に設ける。電気配線基板の基礎的な接着の後、折り曲げの前工程として、接着剤注入領域に接着力の異なる接着剤を注入することによって接着剤のはみ出しを押さえながらも、折り曲げ部の接着強度を向上させることができる構成であることを特徴とする。
【００１５】
なお、さらに説明すれば、本発明の第一の発明について下記のように示す。
【００１６】
（１）液体を吐出するための複数のノズルと吐出エネルギーを発生する記録素子を複数配列した記録素子基板が記録素子基板支持板上に配置され、印字領域がＡ４短辺（約２００ｍｍ）以上の印字領域を持ち、記録素子基板からの電気的信号や駆動電源の接続がフレキシブル配線基板からなる電気配線基板を介して為され、電気配線基板と記録素子基板支持板が第一の接着剤で接着されているインクジェット記録ヘッドにおいて、電気配線基板の折り曲げ部に相当する記録素子基板支持板に接着剤注入用の隙間を設け、前記第一の接着剤とは成分の異なる第二の接着剤を注入する事を特徴とするインクジェット記録ヘッド。
【発明の効果】
【００１７】
本発明では、インクジェット記録ヘッドのフレキシブル配線基板の折り曲げ部に相当する素子基板支持板および第２のプレートに接着剤注入用の隙間を設け、強固な接着剤による接着性向上を成した事により、フレキシブル配線基板の折り曲げ時に生ずる反力で記録素子基板実装面側のフレキシブル配線基板の剥がれや浮き上がりを防ぐことが可能となり、製造工程上の歩留まりを上げるとともに長期使用上の信頼性の大幅な向上が可能となる。
【発明を実施するための最良の形態】
【００１８】
次に、本発明の実施の形態について図面を参照して説明する。
【実施例】
【００１９】
（第１の実施形態）
図１から図１１は、本発明が実施もしくは適用される好適な記録ヘッド、駆動回路、インクジェット記録装置のそれぞれ及びそれぞれの関係を説明するための説明図である。以下、これらの図面を参照して各部構成の説明しながら、全体を説明することにする。
【００２０】
（１）記録ヘッドの説明
図１に示すように記録ヘッドＨ１０００はインクの飛翔によって記録を行うインクジェット記録ヘッドである。記録ヘッドの吐出口からインクを吐出するためのエネルギーを発生するエネルギー発生素子としては、ピエゾ素子などの電気機械変換体を用いたもの、レーザーなどの電磁波を照射して発熱させ、この発熱による作用でインク滴を吐出させるもの、あるいは、発熱抵抗体を有する電気熱変換素子によって液体を加熱させるもの等がある。
【００２１】
本発明はいかなる方式の駆動方式に対しても有用であるが、ここでは代表して電気信号に応じて膜沸騰をインクに対して生じせしめるための熱エネルギーを生じせしめるための熱エネルギーを生成する電気熱変換体を用いて記録を行うバブルジェット(登録商標)方式のサイドシュータ型とされる記録ヘッドを用いて説明する。
【００２２】
記録ヘッドＨ１０００は、図２の分解斜視図に示すように、記録素子ユニットＨ１００１とインク供給ユニットＨ１００２のインク供給部材Ｈ１５００から構成される。さらに、図３の分解斜視図に示すように、記録素子ユニットＨ１００１は、記録素子基板Ｈ１１００、第１のプレートＨ１２００、電気配線基板Ｈ１３００、第２のプレートＨ１４００、フィルター部材Ｈ１６００で構成されている。
【００２３】
（１−１）記録素子ユニット
図４（ａ）は、記録素子基板Ｈ１１００の構成を説明する図であり、図４（ｂ）は図４（ａ）に示すＡ−Ａ断面図である。記録素子基板Ｈ１１００は、例えば、厚さ０．５〜１ｍｍのＳｉ基板Ｈ１１０８で薄膜が形成されている。また、インク流路として長溝状の貫通口からなるインク供給口Ｈ１１０１が形成され、インク供給口Ｈ１１０１の両側に電気熱変換素子Ｈ１１０２がそれぞれ１列ずつ千鳥状に配列されており、前記電気熱変換素子Ｈ１１０２、及び、Ａｌ等の電気配線が成膜技術により形成されている。また、該電気配線に電力を供給するために電極Ｈ１１０３が設けられている。前記インク供給口Ｈ１１０１は、前記Ｓｉ基板Ｈ１１０８の結晶方位を利用して、異方性エッチングを行う。ウエハー面に＜１００＞、厚さ方向に＜１１１＞の結晶方位を持つ場合、アルカリ系（ＫＯＨ、ＴＭＡＨ、ヒトラジン等）の異方性エッチングにより、約５４．７度の角度でエッチングが進行する。この方法を用いて、所望の深さにエッチングする。また、前記Ｓｉ基板Ｈ１１０８上には、ノズルプレートＨ１１１０が具備され、電気熱変換素子Ｈ１１０２に対応したインク流路Ｈ１１０４、ノズルＨ１１０５、発泡室Ｈ１１０７がフォトリソ技術により形成されている。また、前記ノズルＨ１１０５は前記電気熱変換素子Ｈ１１０２に対向するように設けられており、インク供給口Ｈ１１０１から供給されたインクを電気熱変換素子Ｈ１１０２により気泡を発生させてインクを吐出させるものである。
【００２４】
第１のプレートＨ１２００は、例えば、厚さ０．５〜１０ｍｍのアルミナ（Ａｌ２Ｏ３）材料で形成されている。なお、第１のプレートの素材は、アルミナに限られることなく、記録素子基板Ｈ１１００の材料の線膨張率と同等の線膨張率を有し、かつ、記録素子基板Ｈ１１００材料の熱伝導率と同等もしくは同等以上の熱伝導率を有する材料で作られてもよい。第１のプレートＨ１２００の素材は、例えば、シリコン（Ｓｉ）、窒化アルミニウム（ＡｌＮ）、ジルコニア、窒化珪素（Ｓｉ３Ｎ４）、炭化珪素（ＳｉＣ）、モリブデン（Ｍｏ）、タングステン（Ｗ）のうちいずれであってもよい。第１のプレートＨ１２００には、記録素子基板Ｈ１１００にインクを供給するためのインク供給口Ｈ１２０１が形成されており、記録素子基板Ｈ１１００のインク供給口Ｈ１１０１が第１のプレートＨ１２００のインク供給口Ｈ１２０１に対応し、かつ、記録素子基板Ｈ１１００は第１のプレートＨ１２００に対して位置精度良く接着固定される。
【００２５】
その接着剤は、例えば、粘度が低く、接触面に形成される接着層が薄く、かつ、硬化後、比較的高い硬度を有し、かつ、耐インク性のあるものが望ましい。例えば、エポキシ樹脂を主成分とした熱硬化接着剤、もしくは紫外線硬化併用型の熱硬化接着剤であり、接着層の厚みは５０μｍ以下が望ましい。また、第１のプレートＨ１２００は、位置決め基準となるＸ方向基準Ｈ１２０４、Ｙ方向基準Ｈ１２０５、Ｚ方向基準Ｈ１２０６を有している。
【００２６】
記録素子基板Ｈ１１００は、図１に示すように第１のプレート上Ｈ１２００に千鳥状に配置され、同一色による幅広の記録を可能としている。例えば、ノズル群の長さが１インチ＋αの１３の記録素子基板Ｈ１１００ａ、Ｈ１１００ｂ、Ｈ１１００ｃ、Ｈ１１００ｄを千鳥状に配置し、１３インチ幅の記録を可能にしている。
【００２７】
また、各記録素子基板の吐出口群の端部は、千鳥状に隣接する記録素子基板のノズル群の端部と、記録方向に対して、重複する領域（Ｌ）を設け、各記録素子基板による印刷に隙間が生じることを防止している。例えば、ノズル群Ｈ１１０６ａとノズル群Ｈ１１０６ｂに重複領域Ｈ１１０９ａ、Ｈ１１０９ｂを設けている。
【００２８】
電気配線基板Ｈ１３００は、記録素子基板Ｈ１１００に対してインクを吐出するための電気信号を印加するものであり、記録素子基板Ｈ１１００を組み込むための開口部を有しており、裏面には第２のプレートＨ１４００が接着固定される。また、電気配線基板Ｈ１３００は、記録素子基板Ｈ１１００の電極Ｈ１１０３に対応する電極端子Ｈ１３０２と、この配線端部に位置し記録装置本体からの電気信号を受け取るための外部信号入力端子Ｈ１３０１を有している。電気配線基板Ｈ１３００と記録素子基板Ｈ１１００は、電気的に接続されており、接続方法は、例えば、記録素子基板Ｈ１１００の電極Ｈ１１０３と電気配線基板Ｈ１３００の電極端子Ｈ１３０２を金ワイヤーＨ１３０３（不図示）を用いたワイヤーボンディング技術によりにより電気的に接続される。電気配線基板Ｈ１３００の素材としては、例えば、配線が二層構造のフレキシブル配線基板が使用され、表層はポリイミドフィルムで覆われている。
【００２９】
第２のプレートＨ１４００は、例えば、厚さ０．５〜１ｍｍのＳＵＳ板で形成されている。なお、第２のプレートの素材は、ＳＵＳに限られることなく、耐インク性を有し、良好な平面性を有する材料で作られてもよい。そして、第２のプレートＨ１４００は、第１のプレートＨ１２００に接着固定された記録素子基板Ｈ１１００および該記録素子基板を取り込む開口部を有し、第１のプレートに接着固定される。
【００３０】
第２のプレートの開口部Ｈ１４０２と記録素子基板Ｈ１１００の側面によって形成される溝部には、第１の封止剤Ｈ１３０４が充填され、前記電気配線基板Ｈ１３００の電気実装部を封止している。また、記録素子基板の電極Ｈ１１０３は、第２の封止剤Ｈ１３０５で封止し、電気接続部分をインクによる腐食や外的衝撃から保護している。
【００３１】
また、第１のプレートＨ１１００の裏面側インク供給口Ｈ１２０１には、インク中に混入された異物を取り除くためのフィルター部材Ｈ１６００が接着固定される。
【００３２】
図５（ａ）は第一のプレートＨ１１００と第二のプレートＨ１２００および電気配線基板Ｈ１３００の接着を示す図であり、図５（ｂ）は図５（ａ）のＡ−Ａ断面図である。
【００３３】
これに示すとおり、第一のプレートＨ１１００、第二のプレートＨ１２００、電気配線基板Ｈ１３００が接合された後、第一のプレートＨ１１００と第二のプレートＨ１２００に設けられたスリット形態の接着剤充填領域Ｈ１７００に、より接着性を増すための第二の接着剤Ｈ１７０１が充填される。この接着剤は、前工程である電気配線基板Ｈ１３００と第二のプレートＨ１２００との接着に用いた第一の接着剤より硬度が高く接着力の強固なものを使用する。例えばエポキシ樹脂を主成分とした熱硬化あるいは常温硬化型の接着剤、もしくは紫外線硬化併用型のものである。
【００３４】
（１−２）インク供給ユニット
インク供給部材Ｈ１５００は、例えば、樹脂成形もしくはアルミナ等のセラミック材料やカーボングラファイトなどにより形成され、共通液室Ｈ１５０１と、Ｚ方向基準面Ｈ１５０２を具備している。そして、Ｚ基準面Ｈ１５０２は、記録素子ユニットを位置決め固定するとともに、記録ヘッドＨ１０００のＺ基準となっている。
【００３５】
（１−３）記録素子ユニットとインク供給ユニットの結合
前述の図２に示した通り、記録ヘッドＨ１０００は、記録素子ユニットＨ１００１をインク供給部材Ｈ１５００に結合することにより完成する。
【００３６】
結合は以下のように行われる。
【００３７】
インク供給部材Ｈ１５００の開口部と記録素子ユニットＨ１００１を第３の封止剤Ｈ１５０３により封止し、共通液室Ｈ１５０１を密閉する。そして、インク供給部材のＺ基準Ｈ１５０２に記録素子ユニットＨ１００１のＺ基準Ｈ１５０２を、例えば接着剤等により位置決め固定する。第３の封止剤Ｈ１５０３は、耐インク性があり、かつ、常温で硬化し、かつ、異種材料間の線膨張差に耐えられる柔軟性のある封止剤が望ましい。
【００３８】
また、記録素子ユニットＨ１００１の外部信号入力端子Ｈ１３０１部分は、例えば、インク供給部材Ｈ１５０１の側面に位置決め固定される。
【００３９】
（２）駆動回路の説明
本発明の記録ヘッドＨ１０００は図１に示されるように４つの記録素子基板Ｈ１１００がチッププレートＨ１２００の上に精度良く配列され、さらに４つの記録素子基板Ｈ１１００が電気配線基板Ｈ１３００で配線されている。図９はこの４つの記録素子基板間の信号配線を示す回路図である。図中Ｈ１１００ａ〜Ｈ１１００ｄがそれぞれ４つの記録素子基板に相当し、各記録素子基板は図７および図８に示す奇数、偶数２つのノズル列の駆動回路から成り立っている。ＨＥＡＴＯ、ＥおよびＩＤＡＴＡＯ、Ｅは素子毎に奇偶別々に取り出されており、記録素子基板毎にＨＥＡＴ１〜８およびＩＤＡＴＡ１〜８の信号名で示されている。それ以外の信号は記録素子基板間で共通に配線されている。ＬＴＣＬＫ、ＤＣＬＫ、ＨＥＡＴ１〜８、ＩＤＡＴＡ１〜８は外部信号入力端子Ｈ１３０１に接続され、電源系であるＶＨ、ＧＮＤＨ、ＶＤＤ、ＧＮＤは電源端子Ｈ１３０２に接続されている。
【００４０】
図４は記録素子基板Ｈ１１００の構成を示す図で、インク供給口Ｈ１１０１を挟んで両側に奇数、偶数２つのノズル列がノズルピッチの半分ずらして配置されている。これら２つの駆動回路は記録素子基板上に半導体プロセスにより形成され、ＨＥＡＴＯ、ＥおよびＩＤＡＴＡＯ、Ｅの信号はそれぞれの駆動回路で独立に配線されているが、それ以外の信号（ＤＣＬＫ、ＬＴＣＬＫ）と電源（ＶＤＤ、ＧＮＤ、ＶＨ、ＨＧＮＤ）は記録素子基板内においても共通配線となっている。奇数および偶数ノズル列には共に６４０ノズルが６００ｄｐｉピッチで配列されており、前述のようにハーフピッチ分ずれているため、記録素子基板としては１２００ｄｐｉ、１２８０ノズルを構成することになる。各ノズル列の駆動回路は全く同じであるため、図７により駆動回路の概要を説明する。６４０の各ノズルにはそれぞれ吐出ヒータＨ１１０２−１〜１２７９が設けられ、各吐出ヒータを駆動することによりノズル内のインクを発泡させ、インク滴を吐出する。吐出ヒータは２０個づつ、３２の駆動ブロックに分割されており、時分割で駆動される。駆動ブロックはＢＥ０〜３１の信号により選択され、駆動ブロック内に属する２０個の吐出ヒータはトランジスタＥ１００６−１〜２０のＯＮ／ＯＦＦにより吐出するか否かが決定させる。
【００４１】
図１０の駆動タイミングチャートと図７により記録ヘッドＨ１０００の駆動について説明する。ＰＲＩＮＴ信号は１カラムの吐出を開始するタイミングを与えるパルス信号で、パルスの立ち上がりタイミングで駆動回路の動作が開始する。駆動回路が動作を開始すると最初にＬＴＣＬＫが生成され、それから数１００ｐｓ後に転送クロックＤＣＬＫが転送データ分、すなわち２５クロック出力される。ＩＤＡＴＡ１〜８の各信号にはＤＣＬＫに同期して転送データが出力され、２５ビットシフトレジスタＥ１００１にシリアル転送される。
【００４２】
そして、シフトレジスタＥ１００１に格納されたデータは次の駆動ブロックの最初に出力されるＬＴＣＬＫのタイミングで２５ビットラッチＥ１００２に記憶される。そのため、最初の転送データにしたがって実際の駆動がなされるのはその次のブロックの転送が行われるタイミングである。
【００４３】
ここで転送されるデータ内容は駆動されるブロックの番号ＢＥＮＢ０〜４が５ビット、続いてそのブロックで駆動される電気熱変換素子Ｈ１１０２の駆動データが２０ビットの合計２５ビットである。駆動ブロックＢＥＮＢ０〜４は５→３デコーダＥ１００３でＢＥ０〜３１にデコードされ、トランジスタＥ１００５−１〜３２のベース電極に接続される。よって、常に３２個のトランジスタＥ１００５−１〜３２の内、１個だけが駆動されることになり、指定ブロックに属する電気熱変換素子の一端にのみ駆動電源（ＶＨ）が供給されることになる。
【００４４】
一方、電気熱変換素子Ｈ１１０２−１〜１２７９のもう一端はセグメント毎に３２個づつ並列接続されて、それぞれ２０個のトランジスタＥ１００６−１〜２０のコレクタ電極に接続されている。これらのトランジスタの駆動はベース電極に接続されているＡＮＤゲートＥ１００４−１〜２０出力により制御される。ＡＮＤゲートの一方の入力には２０ビットの駆動データ信号が接続され、もう一方には電気熱変換素子を実際に駆動するタイミングを与えるパルス信号ＨＥＡＴ１〜８が接続されている。
【００４５】
よって、トランジスタＥ１００６−１〜２０は上記２信号のＡＮＤで制御されることになり、その結果２０ビットの駆動データによって指定されたセグメントに対してＨＥＡＴ１〜８のパルスタイミングで駆動されることになる。以上のようにして、ＰＲＩＮＴ信号が発効すると駆動回路が動作を開始し、最初に０ブロック目が駆動され順次１、２、…となって、最後に３１ブロック目は駆動が完了して、全記録素子基板の全ノズルの吐出が制御される。
【００４６】
（３）インクジェット記録装置の説明
本発明のインクジェット記録装置Ｍ４０００は、図６に示すように、例えば、写真画質の記録に対応して６色分の記録ヘッドが具備されている。記録ヘッドＨ１０００Ｂｋは、ブラックインク用の記録ヘッドであり、記録ヘッドＨ１０００Ｃはシアンインク用、記録ヘッドＨ１０００Ｍマゼンタインク用、記録ヘッドＨ１０００Ｙはイエローインク用、記録ヘッドＨ１０００ＬＣはライトシアンインク用、記録ヘッドＨ１０００ＬＭはライトマゼンタインク用である。これらの記録ヘッドＨ１０００を、記録装置本体Ｍ４０００に載置されているキャリッジＭ４００１の位置決め手段及び電気的接点Ｍ４００２によって固定支持する。
【００４７】
そして、これらの記録ヘッドを、先述の駆動回路によって制御し、記録媒体に対して記録を行うものである。なお、図６の記録装置では、記録ヘッドが記録媒体幅分のノズルを有するフルラインタイプであり、記録ヘッドは固定で、記録媒体が矢印の方向に走査することで記録を行う方式である。
【００４８】
（第２の実施形態）
図１１は、本発明が実施もしくは適用される好適な記録ヘッドを説明するための説明図である。これ以外の部分の説明に関しては、第１の実施形態と同様であるため省略する。以下、この図面を参照して説明することにする。
【００４９】
（１）記録ヘッドの説明
図１１（ａ）は第一のプレートＨ１１００と第二のプレートＨ１２００および電気配線基板Ｈ１３００の接着を示す図であり、図１１（ｂ）は図１１（ａ）のＡ−Ａ断面図である。
【００５０】
これに示すとおり、第一のプレートＨ１１００、第二のプレートＨ１２００、電気配線基板Ｈ１３００が接合された後、第一のプレートＨ１１００と第二のプレートＨ１２００に設けられた貫通穴形態の接着剤充填領域Ｈ１７００に、より接着性を増すための第二の接着剤Ｈ１７０１が充填される。この接着剤は、前工程である電気配線基板Ｈ１３００と第二のプレートＨ１２００との接着に用いた第一の接着剤より硬度が高く接着力の強固なものを使用する。例えばエポキシ樹脂を主成分とした熱硬化あるいは常温硬化型の接着剤、もしくは紫外線硬化併用型のものである。
【００５１】
記録ヘッドに関するその他の項目や、駆動回路、記録装置本体の構成については第１の実施形態と同じであるためここでは省略する。
【００５２】
（第３の実施形態）
図１３は、本発明が実施もしくは適用される好適な記録ヘッドを説明するための説明図である。これ以外の部分の説明に関しては、第１の実施形態および第２の実施形態と同様であるため省略する。以下、この図面を参照して説明することにする。
【００５３】
（１）記録ヘッドの説明
図１２（ａ）は第一のプレートＨ１１００と第二のプレートＨ１２００および電気配線基板Ｈ１３００の接着を示す図であり、図１２（ｂ）は図１２（ａ）のＡ−Ａ’断面図である。
【００５４】
これに示すとおり、第一のプレートＨ１１００、第二のプレートＨ１２００、電気配線基板Ｈ１３００が接合された後、第一のプレートＨ１１００と第二のプレートＨ１２００に設けられた櫛歯状スリット形態の接着剤充填領域Ｈ１７００に、より接着性を増すための第二の接着剤Ｈ１７０１が充填される。この接着剤は、前工程である電気配線基板Ｈ１３００と第二のプレートＨ１２００との接着に用いた第一の接着剤より硬度が高く接着力の強固なものを使用する。例えばエポキシ樹脂を主成分とした熱硬化あるいは常温硬化型の接着剤、もしくは紫外線硬化併用型のものである。
【００５５】
記録ヘッドに関するその他の項目や、駆動回路、記録装置本体の構成については第１の実施形態と同じであるためここでは省略する。
【図面の簡単な説明】
【００５６】
【図１】本発明の記録ヘッドの外観斜視図
【図２】本発明の記録ヘッドの分解斜視図
【図３】記録素子ユニットの分解斜視図
【図４】記録素子基板を説明する図で、（ａ）斜視図、（ｂ）Ａ−Ａ断面図
【図５】（ａ），（ｂ）  本発明の断面模式図
【図６】インクジェット記録装置（フルライン方式）を説明する図
【図７】奇数のノズル列の駆動回路を説明する図
【図８】偶数のノズル列の駆動回路を説明する図
【図９】４つの記録素子基板間の信号配線を説明する図
【図１０】駆動タイミングチャート図
【図１１】（ａ），（ｂ）  本発明の断面模式図
【図１２】（ａ），（ｂ）  本発明の断面模式図
【符号の説明】
【００５７】
Ｈ１０００  記録ヘッド
Ｈ１００１  記録素子ユニット
Ｈ１００２  インク供給ユニット
Ｈ１１００  記録素子基板
Ｈ１１０１  インク供給口
Ｈ１１０２  電気熱変換素子
Ｈ１１０３  電極
Ｈ１１０４  インク流路
Ｈ１１０５  ノズル
Ｈ１１０６  ノズル群
Ｈ１１０７  発泡室
Ｈ１１０８  Ｓｉ基板
Ｈ１１１０  ノズルプレート
Ｈ１２００  第１のプレート
Ｈ１２０１  インク供給口
Ｈ１２０４  Ｘ方向基準
Ｈ１２０５  Ｙ方向基準
Ｈ１２０６  Ｚ方向基準
Ｈ１３００  電気配線基板
Ｈ１３０２  電極端子
Ｈ１３０３  金ワイヤー（不図示）
Ｈ１３０４  第１の封止剤
Ｈ１３０５  第２の封止剤
Ｈ１４００  第２のプレート
Ｈ１５００  インク供給部材
Ｈ１５０１  液室（不図示）
Ｈ１５０２  Ｚ基準面
Ｈ１５０３  第３の封止剤（不図示）
Ｈ１５０４  インク供給口（不図示）
Ｈ１６００  ＰＣＢ
Ｈ１６０１  外部信号入力端子
Ｈ１７００  接着剤注入領域
Ｈ１７０１  第二の接着剤
Ｈ１８００  インクタンク
Ｈ１８０２  チューブ
Ｍ４０００  インクジェット記録装置
Ｍ４００１  キャリッジ
Ｍ４００２  電気的接点
Ｅ１００１  シフトレジスタ
Ｅ１００２  ２５ビットラッチ
Ｅ１００３  デコーダ
Ｅ１００４  ＡＮＤゲート
Ｅ１００５  トランジスタ
Ｅ１００６  トランジスタ
Ｋ１０００  記録媒体
【図１】
2006281736.tif 000003
【図２】
2006281736.tif 000004
【図３】
2006281736.tif 000005
【図４】
2006281736.tif 000006
【図５】
2006281736.tif 000007
【図６】
2006281736.tif 000008
【図７】
2006281736.tif 000009
【図８】
2006281736.tif 000010
【図９】
2006281736.tif 000011
【図１０】
2006281736.tif 000012
【図１１】
2006281736.tif 000013
【図１２】
2006281736.tif 000014